(57)【要約】【課題】  本発明は、マスタ装置ＡＶ１とスレーブ装置ＡＶ２、ＰＣ、ＬＳｉｊ、ＤＳｉｊ間のバス型ネットワーク上で、セキュア通信のための双方向データストリームＤＳＡと、リアルタイム通信のための一方向データストリームＤＳＩを用いて通信を行う方法に関する。【解決手段】  本発明によると、一方向データストリームＤＳＩは、マスタ装置ＡＶ１と少なくとも１のスレーブ装置ＡＶ２、ＰＣ、ＬＳｉｊ、ＤＳｉｊ間での、ある種のセキュア通信ＣＩＶ、ＣＩＢために使用される。
2006504294.tif 000002
【特許請求の範囲】
【請求項１】
マスタ装置（ＡＶ１）とスレーブ装置（ＡＶ２、ＰＣ、ＬＳｉｊ、ＤＳｉｊ）間のバス型ネットワーク上で、セキュア通信のための双方向データストリーム（ＤＳＡ）と、リアルタイム通信のための一方向データストリーム（ＤＳＩ）を用いて通信を行う方法において、
一方向データストリーム（ＤＳＩ）は、マスタ装置（ＡＶ１）と少なくとも１つのスレーブ装置（ＡＶ２、ＰＣ、ＬＳｉｊ、ＤＳｉｊ）間での、ある種のセキュア通信（ＣＩＶ、ＣＩＢ）のために使用されることを特徴とする方法。
【請求項２】
前記ある種のセキュア通信（ＣＩＶ、ＣＩＢ）は、制御コマンド（ＣＩＶ、ＣＩＢ）であることを特徴とする請求項１に記載の方法。
【請求項３】
前記ある種のセキュア通信（ＣＩＶ、ＣＩＢ）は、繰り返し送信されることを特徴とする請求項１又は２に記載の方法。
【請求項４】
通信ネットワークの妨害を検出し、その程度を判定し、妨害の程度に基づき、セキュア通信のための一方向データストリームの使用を減らすことを特徴とする請求項１から３のいずれか１項に記載の方法。
【請求項５】
スレーブ装置（ＡＶ２、ＰＣ、ＬＳｉｊ、ＤＳｉｊ）により、他の幾つかの装置（ＡＶ２、ＰＣ、ＬＳｉｊ、ＤＳｉｊ）に宛てて発行されるセキュア通信のための情報は、セキュア通信のための情報として、マスタ装置（ＡＶ１）のみに宛てて発行され、
マスタ装置が、該セキュア通信のための情報を、前記ある種のセキュア通信のための情報（ＣＩＶ、ＣＩＢ）として、一方向データストリーム（ＤＳＩ）により他の装置（ＡＶ２、ＰＣ、ＬＳｉｊ、ＤＳｉｊ）に送信することを特徴とする請求項１から４のいずれか１項に記載の方法。
【請求項６】
請求項１からの５のいずれか１項に記載の通信を実行するスレーブ装置での方法において、
スレーブ装置（ＡＶ２、ＰＣ、ＬＳｉｊ、ＤＳｉｊ）は、前記ある種のセキュア通信のための情報（ＣＩＶ、ＣＩＢ）を取り出すために、
バスから受信する双方向データストリーム（ＤＳＡ）と一方向データストリーム（ＤＳＩ）の両方を読み出して復号することを特徴とする方法。
【請求項７】
請求項１からの５のいずれか１項に記載の通信を実行するマスタ装置での方法において、
マスタ装置（ＡＶ１）は、ある種のセキュア情報（ＣＩＶ、ＣＩＢ）を、一方向データストリーム（ＤＳＩ）を使用して、バス上の幾つかのスレーブ装置（ＡＶ２、ＰＣ、ＬＳｉｊ、ＤＳｉｊ）に送信することを特徴とする方法。
【請求項８】
請求項１から５のいずれか１項に記載の方法を実行するネットワーク、請求項１から６のいずれか１項に記載の方法を実行するスレーブ装置又は、請求項１から５と７のいずれか１項に記載の方法を実行するマスタ装置。
【発明の詳細な説明】
【技術分野】
【０００１】
本発明は、さまざまな装置間でのデータ転送が、一方向又はアイソクロナス方式と、双方向又は非同期方式で行われるバス型ネットワークでの通信方法及び装置に関する。
【背景技術】
【０００２】
特許文献１において、アイソクロナス及び非同期形式でのデータ転送の両方をサポートし、データストリームを処理するプロトコルプロセッサについて記載がされている。実施形態において、アイソクロナスパイプは、転送される総ての非同期データを転送する、仮想的な非同期データパイプとして動作するよう用いられている。
【０００３】
非同期方式で転送されるデータは、目標である装置に、必ずしも所定の時間で到着しないが、アイソクロナス方式で転送されるデータは、目標である装置に所定の時間で到着する。アイソクロナス方式で転送されるデータが、その目標である装置に到着しない場合には、続くアイソクロナスデータに遅延を生じさせないために、再送は行われない。非同期方式で転送されるデータは、目標である装置により受信が検査される。もし、データが、その目標である装置に到着しない場合には、目標である装置に到着するまで再送される。通常、制御コマンドは、目標である装置へ到着することを確実にするため非同期方式により送信される。
【０００４】
制御コマンドは、目標である装置が異なる場合、異なるものとして、それぞれの装置に個別に送信される。このように、制御コマンドは、それぞれの目標装置に同時には到着しない。これは、制御コマンドが、各目標装置に同時到着しないときに、不要な効果が生じるという欠点がある。
【０００５】
【特許文献１】国際公開第９８／４７２７１号パンフレット
【発明の開示】
【発明が解決しようとする課題】
【０００６】
従って、本発明は、これら不要な効果を低減することを目的とする。
【課題を解決するための手段】
【０００７】
本発明によると、マスタ装置とスレーブ装置間のバス型ネットワーク上で、セキュア通信のための双方向データストリームと、リアルタイム通信のための一方向データストリームを用いて通信を行う方法において、一方向データストリームは、マスタ装置と少なくとも１のスレーブ装置間での、ある種のセキュア通信のために使用されることにある。これにより、ある種のセキュア情報を幾つかのスレーブ装置に対してリアルタイムに提供することが可能となる。好ましくは、一方向データストリームは、アイソクロナスデータストリームであり、双方向データストリームは非同期データストリームである。
【０００８】
一方向データストリームにより送信されるセキュア通信情報の効果のある種類は、制御コマンドである。本発明の方法は、タイムリーでない実行が、利用者に直接認識される効果を持つ機能を制御する制御コマンドに対して特に有利となる。その様な制御コマンドには、例えば、異なるラウドスピーカ、特にサラウンドサウンドシステムの音量制御や、ビデオウォール、立体ディスプレィ、サラウンドディスプレィといった２又はそれ以上のディスプレィが１の大きな画像を表示するマルチディスプレィビデオシステムでの輝度、色相といった映像パラメータの制御等がある。
【０００９】
好ましくは、一方向データストリームとして送信される、ある種のセキュア通信は、繰り返し送信される。これは、一方向データストリームの使用により低くなる確実さを、高める利点がある。例えば、制御コマンドは、繰り返し送信されるので、たとえ、幾つかの送信されたコマンドがネットワークの雑音、他の妨害又は負の影響により受信されなかったとしても、関係する総てのスレーブ装置が制御コマンドを受信する機会は増加する。この場合、タイムリーな実行には間に合わないかもしれないが、これは、めったに生じない妨害時にのみ生じるので、利用者が認識する負の効果は、従来方法の状態よりも少なくなる。好ましくは、例えばコマンドの送信を１０回繰り返すといように、又は、最初のコマンドの送信から１秒間送信を繰り返すというように繰り返しの回数又は時間を所定の値に制限する。
【００１０】
好ましくは、通信ネットワーク上の妨害は検出され、妨害の程度が判定され、妨害の程度が所定のレベルを超えている場合は、一方向データストリームのセキュア通信への利用は抑制される。これは、比較的高い率でデータが正しく受信されないぐらい強い妨害の場合に、一方向データストリームによるセキュア通信は抑制され、妨害による負の影響を低減する利点がある。この低減は、例えば、一方向データストリームによるセキュア通信の送信先装置を削減することで、セキュア通信の種類を削減することで、又は、一方向データストリームによるセキュア通信を完全に停止することにより行われる。それぞれの通信は、例えば制御コマンドの正常な受信を確実にするため、好ましくは、双方向データストリームによる通信に置き換えられる。妨害及びその程度の検出は、例えば、双方向で送信されたデータが正常に受信されなかった回数を評価することにより行われる。例えば、否定応答の受信回数又は再送要求の回数が送信データの総数と比較される。装置特有の評価方法の使用も提案を行う。
【００１１】
スレーブ装置が幾つかの他の装置にセキュア通信情報を送信する必要がある場合、このスレーブ装置は、この情報を、セキュア情報として双方向データストリームにより、マスタ装置に送信し、マスタ装置が、一方向データストリームによりある種のセキュア情報として、前記情報を他の装置に送信することを提案する。ネットワークの構成と実際の処理により、装置はある状態ではマスタ装置として動作し、他の状態ではスレーブ装置として動作するかもしれない。ある種のバス型ネットワーク又はある状況下において、スレーブ装置は、一方向データストリームを発行することが禁止されており、幾つかの他の装置で、同時に受信されるべきセキュア情報を間接的に発行する可能性がある。例えば、音量の変更は、ネットワークに取り付けられ、スレーブ装置であるユーザインタフェースの利用により、ユーザが要求するかもしれない。この要求は、スレーブ装置から、一方向データストリームによりそれぞれのコマンドを発行するマスタ装置に送信される。他の解決方法は、スレーブ装置に一方向データストリームによる、ある種のセキュア通信の発行を許可することである。これは、反応性の増大という利点があるが、現在のバス型での実装では可能ではないかもしれない。
【００１２】
本発明によると、スレーブ装置は、セキュア通信情報を取り出すために、バスから受信する双方向データストリームと一方向データストリームの両方を読み出して復号する。これは、ある種のセキュア通信に属するデータを検出するために、一方向データストリームも読み出されることを意味する。
【００１３】
本発明によると、マスタ装置は、ある種のあらかじめ決められたセキャア通信情報がある場合に、一方向データストリームを用いて幾つかのスレーブ装置へのセキュア情報の発行を実行する。
【００１４】
好ましくは、ネットワーク、スレーブ装置又はマスタ装置が、本発明による方法を実行する手段を提供する。
【発明を実施するための最良の形態】
【００１５】
本発明を実施するための最良の実施形態について、本発明の更なる利点や特徴と共に以下ではより詳細に説明する。しかしながら、本発明は、以下に記載する実施形態に限定されるものではなく、当業者がなしうる変更も含むものである。
【００１６】
本発明が参照するバス型ネットワークの例としては、ＩＥＥＥ１３９４バスがある。１９９５年のＩＥＥＥ１３９４標準は、非同期及びアイソクロナスの両形式でのデータ転送をサポートする、安価な高速シリアルバスのアーキテクチャを実装するための国際標準である。アイソクロナスデータ転送は、有意なインスタンス間の時間間隔が、送信及び受信アプリケーションの両方で同じ間隔を持つリアルタイム転送である。アイソクロナスで転送される各データパケットは、それぞれの期間内に転送される。アイソクロナスでのデータ転送の理想的なアプリケーション例は、ビデオレコーダからテレビジョンへの転送である。ビデオレコーダは、画像と音を記録し、個々のデータの塊又はパケットを保存している。ビデオレコーダは、続いて、ある期間に渡って記録された画像と音を表す各パケットを転送し、その期間の間、テレビジョンにより表示される。ＩＥＥＥ１３９４標準のバスアーキテクチャは、アプリケーション間のアイソクロナスデータ転送のために、複数のチャネルを提供する。適切なアプリケーションに受信されることを確実にするため、６ビットのチャネル番号が、データと共に送信される。これにより、複数のアプリケーションがバスを利用してアイソクロナスデータを同時に送信することが可能となっている。非同期転送は、送信元から送信先へのデータ転送をできるだけ速く行う、従来からのデータ転送操作である。ＩＥＥＥ１３９４は、デジタル装置を相互に接続する高速シリアルバスを提供し、よって、ユニバーサルＩ／Ｏ接続を提供する。ＩＥＥＥ１３９４標準は、アプリケーションのためのデジタルインタフェースを定義し、よって、アプリケーションがバスにデータを送信する前に、デジタルからアナログにデータを変換する必要はない。同様に、受信側のアプリケーションは、バスからアナログデータではなくデジタルデータを受信し、よって、アナログデータをデジタルデータに変換する必要はない。ＩＥＥＥ１３９４標準により要求されるケーブルは、他の同様な装置を接続するために使用されるバルクケーブルと比較して大変細い。装置は、ＩＥＥＥ１３９４バスが動作中に、バスに接続及びバスから除去することができる。装置がバスの動作中に接続又は除去された場合、バスは、残りノード間でのデータ転送のために自動的に再構成を行う。ノードは、バス上で一意のアドレスを持つ論理的なエンティティとして捉えられる。各ノードは、識別子のためのＲＯＭと、標準化された一連の制御レジスタと、自身のアドレス空間を備えている。
【００１７】
ＩＥＥＥ１３９４標準で規定されるプロトコルを図１に示す。プロトコルは、トランザクション層１２と、リンク層１４と、物理層１６と、それらに接続するシリアルバス管理ブロック１０とを含む。物理層１６は、ＩＥＥＥ１３９４ケーブルと、装置又はアプリケーション間の電気的、機械的な接続を提供する。物理層１６は、ＩＥＥＥ１３９４バスに接続されている総ての装置がバスへのアクセスと、データの送受信を確実に行えるための調停機能も提供する。リンク層１４は、非同期とアイソクロナスの両データパケット転送のためのデータパケット配送サービスを提供する。これは、確認応答を行うプロトコルを用いる非同期データ転送と、ジャスト・イン・タイムでのデータ配送のためにリアルタイムでの帯域保証を行うプロトコルを備える、アイソクロナスデータ転送の両方をサポートする。トランザクション層１２は、リード、ライト、ロックを含む、非同期データ転送を完了させるために必要なコマンドをサポートする。シリアルバス管理ブロック１０は、アイソクロナスデータ転送を管理するアイソクロナス資源マネージャを含む。シリアルバス管理ブロック１０は、タイミングの最適な調停、バス上の総ての装置への適度な電気パワーの保証や、サイクルマスタの割当てや、アイソクロナスチャネルと帯域資源の割当てや、基本的なエラー通知といった、シリアルバス全体の構成制御も提供する。
【００１８】
図１は、ＩＥＥＥ１３９４標準により定義されているプロトコルを示している。アイソクロナスデータパイプは、バスを経由してアプリケーションのためのデータの送受信を行う。好ましくは、バス構造は、ＩＥＥＥ１３９４標準のバス構造である。アイソクロナスデータパイプは、プログラム可能であり、アプリケーションにより要求されるデータをうまく処理するために、データストリームの一連の命令を実行する。リンク回路には、アイソクロナスデータパイプが、アイソクロナスデータの送受信のために含まれ、非同期データパイプが、非同期データの送受信のために含まれる。アイソクロナスデータパイプと非同期データパイプからのデータは、多重してバスに送信される。バスから受信するデータは、アイソクロナスデータパイプと非同期データパイプに分離される。他の方法として、アイソクロナスデータパイプは、アイソクロナス及び非同期の両データを送受信するようにプログラムされる。
【００１９】
図２は、本発明による方法を実行するネットワークを示す図である。テレビディスプレィや、ビデオレコーダや、ＤＶＤプレイヤといった、幾つかの音響映像装置ＡＶ１、ＡＶ２が、ラウドスピーカＬＳ１〜ＬＳ３とパーソナルコンピュータＰＣに接続されている。この実施形態において、音響映像装置ＡＶ１が、マスタ装置として構成され、他のＡＶ２、ＬＳ１〜ＬＳ３及びＰＣは、スレーブ装置となっている。各装置は、ネットワークのノードに適合し、ネットワーク内の他の少なくとも１の装置と、ケーブル１５により接続されている。パーソナルコンピュータＰＣ、ラウドスピーカＬＳ１及び音響映像装置ＡＶ２は、マスタ装置である音響映像装置ＡＶ１と直接接続されている。ラウドスピーカＬＳ２は、音響映像装置ＡＶ２を経由して、音響映像装置ＡＶ１と間接的に接続し、ラウドスピーカＬＳ３は、ラウドスピーカＬＳ２と直接接続し、音響映像装置ＡＶ１とは間接的に接続している。コネクタ１７は、装置がネットワークから切断或いはネットワークに接続可能であることを示している。ケーブル１５は、データパケットＤＰＩｉからなるアイソクロナスデータストリームＤＳＩと、データパケットＤＰＡｉからなる非同期データストリームＤＳＡを転送するために設けられる。本実施形態において、音響映像機器ＡＶ２は、ビデオソースであり、アイソクロナスビデオストリームＤＳＩｖｉｄをディスプレイ、ここでは音響映像装置ＡＶ２に、アイソクロナスオーディオストリームＤＳＩをラウドスピーカＬＳ１〜ＬＳ３に送信している。
【００２０】
通常、ＩＥＥＥ１３９４ネットワークにおいて、ラウドスピーカＬＳ１〜ＬＳ３の音量は、各ラウドスピーカＬＳ１〜ＬＳ３に個別に送信しなければならない非同期データパケットＤＰＡｉにより制御される。アイソクロナスストリームＤＳＩの中の、音量制御情報ＣＩＶは、選択されたアイソクロナスストリームＤＳＩの受信で、自動的に総てのラウドスピーカＬＳ１〜ＬＳ３に達する。音量制御情報ＣＩＶは、総てのラウドスピーカＬＳ１〜ＬＳ３に、同時に達する。
【００２１】
ＩＥＥＥ１３９４ネットワークでは、接続されている総ての装置ＡＶ１、ＡＶ２、ＬＳ１〜ＬＳ３及びＰＣは、非同期パケットＤＰＡｉのストリームＤＳＡ又はアイソクロナスストリームＤＳＩのどちらかでデータを受信する。非同期パケットＤＰＡは、１又は総てのノード、つまり、総ての装置を宛先とすることができる。１の非同期パケットＤＰＡを選択した幾つかのノードに送信することはできない。非同期データパケットＤＰＡは、受信ノードで正しく受信され、実行されたなら、確認応答が行われる。もし、非同期パケットＤＰＡが正常に受信されなかった場合、送信ノードは、１００ｍｓの遅延をもって、最大１５回又はそれ以上のパケット再送を行うかもしれない。非同期パケットＤＰＡの送信と確認間の遅延は、１５*１００ｍｓまでとなる。パケットＤＰＡが、どの時点でバスに送信されるかについての保証はない。アイソクロナスストリームＤＳＩは、広帯域で、データストリームＤＳＩを受信可能な幾つかのノードに宛てたリアルタイムデータの送信に使用される。アイソクロナスデータストリームＤＳＩは、直ちに送信されることが保証されている。幾つかのデジタルラウドスピーカＬＳ１〜ＬＳ３の音量を制御する一般的な方法では、各デジタルラウドスピーカに、非同期パケットＤＰＡを、それぞれ送信する。ここでは、３つのパケットＤＰＡが必要である。パケットＤＰＡに含まれた音量制御情報ＣＩＶがどの時点で、異なるデジタルラウドスピーカＬＳ１〜ＬＳ３に到着するかについて予測することはできない。もし、音量制御情報ＣＩＶが、アイソクロナスストリームＤＳＩで送信されたとすると、音量制御情報ＣＩＶは、総てのデジタルラウドスピーカＬＳ１〜ＬＳ３で同時に受信される。音量制御情報ＣＩＶは、同じアイソクロナスストリームＤＳＩで、デジタルオーディオデータとして送信される。音量制御情報ＣＩＶは、更なる負担なしに繰り返し送信されるかもしれない。この場合、音量制御情報は、単に、“音量増加”又は“音量減少”を示すのではなく、より詳細なコマンド、例えば、“最大音量の２０％に設定”等となる。
【００２２】
本発明の利点は、音量制御情報ＣＩＶが、自動的にアイソクロナスストリームＤＳＩを受信する全ノードＬＳ１〜ＬＳ３に達し、音量制御が、総てのデジタルラウドスピーカＬＳ１〜ＬＳ３で同時に実行されることである。もし、音量が非同期パケットＤＰＡで制御されるとすると、各デジタルラウドスピーカＬＳ１〜ＬＳ３で、数ミリ秒、最悪の場合は１．５秒に達する実行時間の差が生じ、これは認識可能なものとなる。
【００２３】
アイソクロナスストリームＤＳＩで送信される音量制御情報ＣＩＶは、アイソクロナスストリームＤＳＩを送信するノード、ここでは、音響映像装置ＡＶ２により送信されるが、非同期パケットＤＰＡでの音量制御情報は、総てのノードから送信され得る。よって、音量制御情報を送信する必要があるノードは、アイソクロナスストリームに制御情報をのせるためにまず、アイソクロナスストリームＤＳＩを送信するノードに、非同期パケットＤＰＡを送信する。
【００２４】
図３は、通常のアイソクロナスデータパケットＤＰＩの構造を示す図である。アイソクロナスデータパケットは、ＩＳＯヘッダ２１と、ＣＩＰヘッダ２２と、４８ＫＨｚの標本化周波数の場合には、１６個の４バイト（３２ビット）データから構成されるペイロード２３とを有する。
【００２５】
図４は、音量制御情報ＣＩＶのような、ある種のセキュア通信に使用されるアイソクロナスデータパケットＤＰＩの構造を示す図である。アイソクロナスデータパケットは、ＩＳＯヘッダ２１と、ＣＩＰヘッダ２２とを有するが、ペイロード２３はない。ＣＩＰヘッダ２２は、ある種のセキュアな通信、本例では音量制御情報ＣＩＶ、を提供するためのコマンドエリア２４がある。図に示すアイソクロナスデータパケットＤＰＩを受信した総てのノードは、ＣＩＰヘッダ２２に、コマンドを有するコマンドエリア２４が存在するか否か、実行可能であるか否かを確認して、コマンドの実行を行う。ラウドスピーカＬＳｉは、音量制御情報ＣＩＶを確認し、実行するが、ビデオディスプレィに関する制御情報は認識しないかもしれない。
【００２６】
図５は、本発明の実施形態を示す図であり、６台のディスプレィ装置Ｄｉｊ、ここでｉ、ｊ＝１、２、３、が大きなウォールディスプレィを形成している。総てのディスプレィ装置Ｄｉｊは、ケーブル１５により直接的に又は間接的に音響映像装置ＡＶ１に接続されている。輝度制御信号ＣＩＢの発行による変更の場合、本発明によるとアイソクロナスデータストリームＤＳＩにより行われる。これにより、総てのディスプレィＤｉｊに対して、同時に、同じ様に輝度を変更することが可能となり、利用者に負の映像効果を見せることを少なくする。
【００２７】
図６は、本発明が利用される他の実施形態を示す図である。ディスプレィ装置ＤＳ１〜ＤＳ４は、中心点１を囲むように配置されている。ディスプレィ装置ＤＳ１〜ＤＳ４の近くで、ディスプレィ装置ＤＳｉの上下にラウドスピーカＬＳｉ１及びＬＳｉ２（ｉ＝１〜４）が配置され、ラウドスピーカＬＳ０及びＬＳ５が両側に配置されている。この配置は、中心点１にいる又は付近にいるユーザに、完全なサラウンド効果に近い印象を与えるサラウンドビデオ及びオーディオの聴取を可能とさせる。この場合もまた、ディスプレィ装置ＤＳｉ及びラウドスピーカＬＳｉｊは、ここでは図示されないマスタ装置にネットワーク経由で接続されている。音量、輝度、その他のオーディオ又はビデオ特性を変更する場合、本発明によると、アイソクロナスデータストリームＤＳＩで送信されるので、利用者への負の影響を低減又は完全に防ぐことができる。関連する制御情報ＣＩＶがアイソクロナスデータストリームＤＳＩで送信されないとすると、音量バランス又はフェージング等の負の効果が生じ、利用者は、３次元空間内の自身の位置についての誤った印象を受けることとなる。利用者が聞く音が、映像と完全に一致しなくなり、利用者を苛立たせることとなる。
【００２８】
言い換えると、本発明は、ＩＥＥＥ１３９４ネットワークにおいて、ラウドスピーカＬＳｉの音量制御が非同期パケットＤＰＡによりラウドスピーカＬＳｉに送信されることによる問題を解決するものである。ＤＰＡパケットは、１の装置にのみ、つまり、各ラウドスピーカＬＳｉに別々に送信する必要があり、また、ＤＰＡパケットは低優先度で、つまり、必ずしもリアルタイムではなく送信されるので、音量制御情報ＣＩＶは、音量制御が実行されるまで最大１．５秒必要とする。これが欠点である。長時間必要となるのは、非同期パケットの受信が検査され、必要ならば、受信されなかった非同期パケットＤＰＡの再送が行われるからである。更なる欠点は、それぞれのラウドスピーカＬＳｉが、異なる時間に音量の変更を行うことであり、これは利用者に好ましくない音の印象を与えてしまう。本発明によると、ビデオ又はオーディオデータといったリアルタイムデータを転送するために使用するアイソクロナスストリームＤＳＩを、音量制御情報ＣＩＶを送信するためにも使用する。アイソクロナスストリームＤＳＩは、リアルタイムで伝送されるが、正しく受信されたか否かのフィードバックは行われない。よって、音量制御情報ＣＩＶは、繰り返し伝送され、１の命令の紛失を補償する。音量制御情報ＣＩＶは、システム内の総てのラウドスピーカＬＳｉで同時に受信され、音量は総てのラウドスピーカＬＳｉで同期して変更される。
【図面の簡単な説明】
【００２９】
【図１】シリアルバスプロトコルを示す図である。
【図２】本発明による方法を実行するネットワークを示す図である。
【図３】通常のアイソクロナスデータ構造を示す図である。
【図４】本発明のアイソクロナスデータ構造を示す図である。
【図５】本発明の方法が使用される形態を示す図である。
【図６】本発明の方法が使用される他の形態を示す図である。
【符号の説明】
【００３０】
１  中心点
１０  シリアルバス管理ブロック
１２  トランザクション層
１４  リンク層
１５  ケーブル
１６  物理層
１７  コネクタ
２１  ＩＳＯヘッダ
２２  ＣＩＰヘッダ
２３  ペイロード
２４  コマンドエリア
【図１】
2006504294.tif 000003
【図２】
2006504294.tif 000004
【図３】
2006504294.tif 000005
【図４】
2006504294.tif 000006
【図５】
2006504294.tif 000007
【図６】
2006504294.tif 000008
【手続補正書】
【提出日】平成16年3月27日(2004.3.27)
【手続補正１】
【補正対象書類名】特許請求の範囲
【補正対象項目名】全文
【補正方法】変更
【補正の内容】
【特許請求の範囲】
【請求項１】
第１の装置（ＡＶ１）と複数の第２の装置（ＡＶ２、ＰＣ、ＬＳｉ、ＬＳｉｊ、Ｄｉｊ、ＤＳｉ）間のバス型ネットワーク上で、制御通信のための非同期データ通信と、リアルタイムデータストリーミングのためのアイソクロナスデータ通信との２種類の通信が可能な通信プロトコルにより通信を行う方法において、
アイソクロナスデータ通信は、第１の装置（ＡＶ１）と少なくとも１の第２の装置（ＡＶ２、ＰＣ、ＬＳｉ、ＬＳｉｊ、Ｄｉｊ、ＤＳｉ）間での、ある種の制御通信のためにも使用されることを特徴とする方法。
【請求項２】
前記ある種の制御通信は、前記少なくとも１の第２の装置でタイムリーに実行されない場合は、直接認識される効果を持った機能を制御するための、前記少なくとも１の第２の装置への制御コマンドの通信を含むことを特徴とする請求項１に記載の方法。
【請求項３】
前記制御コマンドは、複数のラウドスピーカの可聴パラメータ又は複数のディスプレィの可視パラメータを制御するためのものであることを特徴とする請求項２に記載の方法。
【請求項４】
前記ある種の制御通信（ＣＩＶ、ＣＩＢ）は、繰り返し送信されることを特徴とする請求項１から３のいずれか１項に記載の方法。
【請求項５】
通信ネットワークの妨害を検出し、その程度を判定し、妨害の程度に基づき、前記ある種の制御通信のためのアイソクロナスデータ通信の使用を減らすことを特徴とする請求項１から４のいずれか１項に記載の方法。
【請求項６】
第１の装置（ＡＶ２、ＰＣ、ＬＳｉ、ＬＳｉｊ、Ｄｉｊ、ＤＳｉｊ）より幾つかの他の装置（ＡＶ１、ＡＶ２、ＰＣ、ＬＳｉ、ＬＳｉｊ、Ｄｉｊ、ＤＳｉｊ）へ発行される制御情報（ＣＩＶ、ＣＩＢ）は、非同期データ通信の手段により第２の装置（ＡＶ１）に発行され、前記第２の装置（ＡＶ１）が前記他の装置（ＡＶ２、ＰＣ、ＬＳｉ、ＬＳｉｊ、Ｄｉｊ、ＤＳｉｊ）にアイソクロナスデータ通信の手段により前記ある種の制御通信として送信することを特徴とする請求項１から５のいずれか１項に記載の方法。
【請求項７】
ネットワークへのインタフェースと、制御通信のための非同期データ通信を行う手段と、リアルタイムデータストリーミングためのアイソクロナスデータ通信を行う手段とを備え、請求項１からの６のいずれか１項に記載の通信を実行するネットワーク装置において、
前記アイソクロナスデータ通信を、ある種の制御情報（ＣＩＶ、ＣＩＢ）のための制御通信を行うために使用する通信手段を有することを特徴とする装置。
【請求項８】
前記通信手段は、前記ある種の制御情報（ＣＩＶ、ＣＩＢ）をアイソクロナスチャネル上で送信する手段及び／又はアイソクロナスチャネルから前記ある種の制御情報（ＣＩＶ、ＣＩＢ）を受信する手段を有することを特徴とする請求項７に記載の装置。
【請求項９】
前記ある種の制御情報（ＣＩＶ、ＣＩＢ）のための前記制御通信は、少なくとも１の他のネットワーク装置（ＡＶ１、ＡＶ２、ＰＣ、ＬＳｉｊ、ＤＳｉｊ）でタイムリーに実行されない場合には、直接認識される効果を持った機能を制御するための、前記制御コマンド（ＣＩＶ、ＣＩＢ）の、前記少なくとも１の他のネットワーク装置との間での通信を含むことを特徴とする請求項７又は８に記載の装置。
【請求項１０】
前記制御コマンドは、複数のラウドスピーカ（ＬＳｉｊ）の可聴パラメータ又は複数のディスプレィ（Ｄｉ、Ｄｉｊ）の可視パラメータを制御するためのものであることを特徴とする請求項７から９の１ずれか１項に記載の方法。
【請求項１１】
前記ネットワークインタフェースは、ＩＥＥＥ１３９４ネットワークインタフェースである請求項７から１０のいずれか１項に記載のネットワーク装置。
【国際調査報告】
2006504294.tif 000009